(57)【要約】本発明は、第１平面部と、この第１平面部のエッジから所定傾斜角度θ１で延長され形成される第１傾斜部を備える本体フレームと；前記第１平面部及び第１傾斜部に設置され、複数のＬＥＤランプを含んで構成される光発散部と；前記第１平面部と所定距離離隔して位置する第２平面部と、この第２平面部のエッジから所定傾斜角もθ２で延長され前記第１傾斜部と所定距離離隔して位置する第２傾斜部を含んで構成され、前記本体フレームを覆う透過板からなることを特徴とするＬＥＤ街灯装置を提供する。
2013525990.tif 000002
【特許請求の範囲】
【請求項１】
第１平面部と、この第１平面部のエッジから所定傾斜角度θ１で延長され形成される第１傾斜部を備える本体フレームと；前記第１平面部及び第１傾斜部に設置され、複数のＬＥＤランプを含んで構成される光発散部と；前記第１平面部と所定距離離隔して位置する第２平面部と、この第２平面部のエッジから所定傾斜角度θ２で延長され前記第１傾斜部と所定距離離隔して位置する第２傾斜部を含んで構成され、前記本体フレームを覆う透過板と、を含んで構成されることを特徴とするＬＥＤ街灯装置。
【請求項２】
第１平面部と、この第１平面部のエッジから所定傾斜角度θ１で延長され形成される第１傾斜部を備える本体フレームと；前記第１平面部及び第１傾斜部に設置され、複数のＬＥＤランプを含んで構成される光発散部と；前記第１平面部と所定距離離隔して位置する第２平面部と、この第２平面部のエッジから所定傾斜角度θ２で延長され前記第１傾斜部と所定距離離隔して位置する第２傾斜部を含んで構成され、前記本体フレームを覆う透過板と、を含んで構成され；
前記透過板の第２平面部又は第２傾斜部に複数のレンズが備えられるか、又は第２平面部と第２傾斜部の両方に複数のレンズが備えられることを特徴とするＬＥＤ街灯装置。
【請求項３】
前記複数のレンズはそれぞれ対応する前記ＬＥＤランプ上に位置することを特徴とする請求項２に記載のＬＥＤ街灯装置。
【請求項４】
前記第１平面部には少なくとも１つの排水孔が形成され、前記第２平面部には前記排水孔が連通される連通孔が設置されることを特徴とする請求項１乃至３のいずれか一項に記載のＬＥＤ街灯装置。
【請求項５】
前記第１及び第２平面部は、多角形状の平面形状を持つことを特徴とする請求項１乃至４のいずれか一項に記載のＬＥＤ街灯装置。
【請求項６】
前記第１及び第２傾斜部は、前記第１及び第２平面部の前記多角形平面形状のエッジ面から延長されることによって、多面に形成されることを特徴とする請求項５に記載ＬＥＤ街灯装置。
【請求項７】
前記第１及び第２傾斜部の多面は１２面であることを特徴とする請求項６に記載のＬＥＤ街灯装置。
【請求項８】
前記本体フレームの第１平面部と第１傾斜部は外部表面と内部表面を備え、前記外部表面はＬＥＤ光源設置面となり、前記内部表面によって上部が開放された内部空間部が形成されることを特徴とする請求項１乃至３のいずれか一項に記載のＬＥＤ街灯装置。
【請求項９】
前記内部空間部には複数の防熱壁が設置されることを特徴とする請求項８に記載のＬＥＤ街灯装置。
【請求項１０】
前記本体フレームの第１平面部の内部表面の中央から上部に延長された固定部をさらに備えて構成されることを特徴とする請求項９に記載のＬＥＤ街灯装置。
【請求項１１】
固定部は円筒状に形成され、自由端部に連結のためのねじ山が形成されることを特徴とする請求項１０に記載のＬＥＤ街灯装置。
【請求項１２】
前記固定部と街灯柱の連結ロッドを連結する連結部材をさらに備え、
前記連結部材は前記固定部に装着可能な直径を有する第１直径部と、前記街灯柱の連結ロッドに装着可能な第２直径部と、を備えることを特徴とする請求項１１に記載のＬＥＤ街灯装置。
【請求項１３】
前記空間部を覆う日除け部材をさらに備えることを特徴とする請求項８に記載のＬＥＤ街灯装置。
【請求項１４】
前記第２平面部に配列される複数のレンズは円形に配列され、前記第２傾斜部に備えられるレンズは傾斜部の長さ方向に沿って配列されることを特徴とする請求項２または３に記載のＬＥＤ街灯装置。
【請求項１５】
前記第２平面部又は第２傾斜部は外部表面と内部表面を備え、前記レンズは、光が放出される前記外部表面上の湾曲突出部と、光が入射する内部表面上の平面と、からなることを特徴とする請求項２または３に記載のＬＥＤ街灯装置。
【請求項１６】
前記第２平面部又は第２傾斜部は外部表面と内部表面を備え、前記レンズは、光が放出される前記外部表面上の平面と、光が入射する内部表面上の所定曲率の凹状陥没部と、からなることを特徴とする請求項２または３に記載のＬＥＤ街灯装置。
【請求項１７】
前記第２平面部又は第２傾斜部は外部表面と内部表面を備え、前記レンズは、光が放出される前記外部表面上の湾曲突出部と、光が入射する内部表面上の平面と、からなり、前記湾曲突出部は、周辺の外部表面に対して陥没されて形成されることを特徴とする請求項２または３に記載のＬＥＤ街灯装置。
【請求項１８】
前記第２平面部又は第２傾斜部は外部表面と内部表面を備え、前記レンズは、光が放出される前記外部表面上の湾曲突出部及びこの湾曲突出部を同心円状に囲む複数の環状突出部と、光が入射する内部表面上の平面と、からなることを特徴とする請求項２または３に記載のＬＥＤ街灯装置。
【請求項１９】
前記第２平面部又は第２傾斜部は外部表面と内部表面を備え、前記レンズは、光が放出される前記外部表面上の平面と、光が入射する前記内部表面上の所定曲率の凹状陥没部及びこの凹状陥没部を同心円状に囲む複数の環状陥没部とからなることを特徴とする請求項２または３に記載のＬＥＤ街灯装置。
【請求項２０】
前記第２平面部又は第２傾斜部は外部表面と内部表面を備え、前記レンズは、光が放出される前記外部表面上の湾曲突出部及びこの湾曲突出部を同心円状に囲む複数の環状突出部と、光が入射する内部表面上の平面と、からなり、前記湾曲突出部及び環状突出部は周辺の外部表面に対して陥没されて形成されることを特徴とする請求項２または３に記載のＬＥＤ街灯装置。
【請求項２１】
ＬＥＤ光源が地面に対して水平設置される平面部と、この平面部のエッジから所定傾斜角で延長されることによって前記ＬＥＤ光源が地面に対して傾斜設置される傾斜部を含んで構成され；
前記平面部は多角形状の平面形状を有し、前記傾斜部は前記平面部の前記多角形平面形状のエッジ面から延長されることによって、台形形状の多面に形成されることを特徴とする本体フレーム。
【請求項２２】
前記平面部と傾斜部は外部表面と内部表面を備え、前記外部表面はＬＥＤ光源設置面となり、前記内部表面によって上部が開放された内部空間部が形成されることを特徴とする請求項２１に記載のＬＥＤ街灯装置の本体フレーム。
【請求項２３】
前記内部空間部には複数の防熱壁が空間部内に突出して設置されることを特徴とする請求項２２に記載のＬＥＤ街灯装置の本体フレーム。
【請求項２４】
前記平面部には前記内部空間部と外部表面を連通する少なくとも１つの排水孔が形成されることを特徴とする請求項２２に記載のＬＥＤ街灯装置の本体フレーム。
【請求項２５】
前記傾斜部の多面は１２面であることを特徴とする請求項２３に記載の本体フレーム。
【請求項２６】
街灯柱との連結のために中央に形成される円形の固定部と、この固定部を囲む環状の排水孔形成部と、この排水孔形成部を囲み環状に形成されてＬＥＤ光源が地面に対して水平設置される第１固定面を備え、平面形状が１２角形の多角形状に形成される平面部と、
この平面部のエッジ辺から所定傾斜角で延長されることによって前記ＬＥＤ光源が地面に対して傾斜設置される台形形状の１２面の第２固定面を形成する傾斜部を含み；
前記平面部と傾斜部は内部表面と外部表面を備え、その内部表面によって空間部が限定され、複数の防熱壁が前記空間部内に突出して設置されることを特徴とするＬＥＤ街灯装置の本体フレーム。
【請求項２７】
平面部と、この平面部のエッジから所定傾斜角で延長される傾斜部を含んで構成され；前記平面部は多角形状の平面形状を有し、前記傾斜部は台形形状の多面に形成され、前記平面部又は前記傾斜部に複数のレンズが備えられるか又は前記平面部又は傾斜部の両方に複数のレンズが備えられることを特徴とするＬＥＤ街灯装置の透過板。
【請求項２８】
前記平面部は中央開口部を備え、この開口部の周囲に複数の連通孔が形成され、前記多面は１２面であることを特徴とする請求項２７に記載のＬＥＤ街灯装置の透過板。
【請求項２９】
前記平面部に配列される複数のレンズは前記中央開口部を中心に円形に配列され、前記傾斜部に備えられるレンズは傾斜部の長さ方向に沿って配列されることを特徴とする請求項２８に記載のＬＥＤ街灯装置の透過板。
【請求項３０】
前記平面部又は傾斜部は外部表面と内部表面を備え、前記レンズは、光が放出される前記外部表面上の湾曲突出部と、光が入射する内部表面上の平面と、からなることを特徴とする請求項２７に記載のＬＥＤ街灯装置の透過板。
【請求項３１】
前記平面部又は傾斜部は外部表面と内部表面を備え、前記レンズは、光が放出される前記外部表面上の平面と、光が入射する内部表面上の所定曲率の凹状陥没部と、からなることを特徴とする請求項２７に記載のＬＥＤ街灯装置の透過板。
【請求項３２】
前記平面部又は傾斜部は外部表面と内部表面を備え、前記レンズは、光が放出される前記外部表面上の湾曲突出部と、光が入射する内部表面上の平面と、からなり、前記湾曲突出部は、周辺の外部表面に対して陥没されて形成されることを特徴とする請求項２７に記載のＬＥＤ街灯装置の透過板。
【請求項３３】
前記平面部又は傾斜部は外部表面と内部表面を備え、前記レンズは、光が放出される前記外部表面上の湾曲突出部及びこの湾曲突出部を同心円状に囲む複数の環状突出部と、光が入射する内部表面上の平面と、からなることを特徴とする請求項２７に記載のＬＥＤ街灯装置の透過板。
【請求項３４】
前記平面部又は傾斜部は外部表面と内部表面を備え、前記レンズは、光が放出される前記外部表面上の平面と、光が入射する前記内部表面上の所定曲率の凹状陥没部及びこの凹状陥没部を同心円状に囲む複数の環状陥没部と、からなることを特徴とする請求項２７に記載のＬＥＤ街灯装置の透過板。
【請求項３５】
前記平面部又は傾斜部は外部表面と内部表面を備え、前記レンズは、光が放出される前記外部表面上の湾曲突出部及びこの湾曲突出部を同心円状に囲む複数の環状突出部と、光が入射する内部表面上の平面と、からなり、前記湾曲突出部及び環状突出部は周辺の外部表面に対して陥没されて形成されることを特徴とする請求項２７に記載のＬＥＤ街灯装置の透過板。
【発明の詳細な説明】
【技術分野】
【０００１】
本発明は、ＬＥＤ街灯装置に関し、さらに詳しくは、複数のＬＥＤ光源が水平及び傾斜設置されることによって、直下照度及び周辺照度が均一になるようにしたＬＥＤ街灯装置に関する。また、ＬＥＤランプからの発熱を容易に発散させることができるＬＥＤ街灯装置に関する。また、その設置及び分解作業が容易になったＬＥＤ街灯装置に関する。
【０００２】
また、複数のＬＥＤ光源が外表面に水平及び傾斜設置されることによって、周辺部及び直下照度が均一な明るさになったＬＥＤ街灯装置の本体フレームに関する。また、前記光源からの光が均質化（Ｈｏｍｏｇｅｎｉｚｅｄ）されて放出するようになったＬＥＤ街灯装置の透過板に関する。
【背景技術】
【０００３】
一般に、街灯装置は道路交通の安全と保安のために道路に沿って設置される照明施設である。このような前記街灯装置は高速道路、市街地の主要道路、商業地区道路及び住宅地区道路などに設置され、設置される場所に応じてそれに適合した形態で提供される。現在、街灯装置の設置基準によれば、前記街灯装置が地上から高さ１０ｍの地点に設置される場合、前記街灯装置が設置された地面上の地点から左右側１２ｍ離れた地面の地点で発生される側面照度が２０ルクス（Ｌｕｘ）まで発光されなければならない。
【０００４】
従来の街灯装置はフィラメントの抵抗を利用して発光するランプが主に使われているが、これは寿命が短く電力消耗が多い問題点があって、最近は前記フィラメント方式のランプに比べ寿命が長くエネルギー効率が高いＬＥＤ（ＬＥＤ：Ｌｉｇｈｔ  Ｅｍｉｔｔｉｎｇ  Ｄｉｏｄｅ）ランプを光源とするＬＥＤ街灯装置が開発されて適用されている。
【０００５】
一方、上記した一般的なＬＥＤ街灯装置１００は、図１に示したように、光源であるＬＥＤランプ１１０及びＬＥＤランプ１１０からの光を直下部又は周辺部に反射させるための反射板１２０が下部に取り付けられる本体フレーム１３０と；この本体フレーム１３０に取り付けられたＬＥＤランプ１１０及び反射板１２０を覆う透明ガラス又は透明プラスチック材質で作製される透過板１４０を備えて構成される。また、前記本体フレーム１３０の上部には棒状又は管状の固定部１５０が備えられる。したがって、このようなＬＥＤ街灯装置１００は、前記固定部１５０を街灯柱２００の連結ロッド２１０にボルト、ナット、連結ブラケットなどからなることができる通常の締結部材２２０を用いて、取り付けることができる。
【０００６】
また、前記ＬＥＤ街灯装置１００の固定部１５０と締結される街灯柱２００の連結ロッド２１０は所定直径の棒で形成されるが、場合によっては、例えば街灯装置１００を保護するための日除け部材２３０が連結ロッドと一体に備えられる場合は、図２に示したように、連結ロッド２１０の先端部の直径が拡大された形態を有する場合もある。この場合、前記ＬＥＤ街灯装置１００の固定部１５０も連結ロッド２１０の拡大された直径に応じてその直径が設計される。
【０００７】
図２において、符号２１０ａは連結ロッド２１０の拡大直径部を示し、符号１５０ａは固定部１５０の拡大直径部を示す。また、図２においては前記固定部の拡大直径部１５０ａが、例えば、ねじ結合によって前記連結ロッドの拡大直径部２１０ａに締結された状態を点線で示している。
【０００８】
ところが、前記ＬＥＤ街灯装置１００は、通常、街灯装置が道路に沿って略３０ｍ乃至５０ｍの間隔で一定に配置されることを考慮すると、前記ＬＥＤ街灯装置１００は道路の前後方に光を発散して街灯装置の設置基準である道路の前後方の１２ｍ離れた地面の地点に対して照度２０ルクスを満させなければならない。
【０００９】
しかし、従来のＬＥＤ街灯装置１００においては、本体フレーム１００が平面構造又は所定方向にのみ傾斜した構造を持つため、直下部又は周辺部の特定の位置のみを主に照射するようになり、直下部及び周辺部を均一に照射できない問題点があった。
【００１０】
また、ＬＥＤ街灯装置１００はその特性上、高熱を放射することによって、熱による素子損傷が発生するが、既存の本体フレーム１３０においては、発熱に対する効果的な対応策が講じられていないのが実情である。
【００１１】
また、前記街灯柱に対する設置作業が容易に進められない問題点があった。すなわち、前記連結ロッドの直径に応じて、それに適合した直径部を有する街灯装置を用意しなければならない問題点があった。
【００１２】
また、上記した従来街灯装置１００においては、前記光源１１０からの光は前記透過板１４０を通過することによって、反射又は散乱などに起因して、その光の強度が減衰される傾向があった。
【発明の概要】
【発明が解決しようとする課題】
【００１３】
ところで、本発明は、上記した事情を鑑みてなされたものであって、１）ＬＥＤランプからの光が直下部のみでなく周辺部にも同一照度で照射することができるように、ＬＥＤランプを水平及び傾斜面に設置できるようになり、２）ＬＥＤランプからの光を均一に照射させ、３）素子の損傷を防止するために、ＬＥＤランプからの発熱を容易に発散できるようになった放熱構造を有し、４）単純連結構造を採用することによって、街灯柱に対する設置作業を容易に行うことができるようになり、５）雨水排水構造を揃えることによって、ＬＥＤ街灯装置の耐久性の向上を図ることができ、６）透過板の表面に複数のレンズを設けることによって、光源から光が前記複数のレンズを介して均質化されて放出されるようにしたＬＥＤ街灯装置を提供することを目的とする。
【００１４】
本発明が達成しようとする技術的課題は、上述した技術的課題に制限されず、言及されていない他の技術的課題は以下の記載から本発明が属する技術分野で通常の知識を有する者に明確に理解されることができる。
【課題を解決するための手段】
【００１５】
上記した目的を達成するために、本発明は、第１平面部と、この第１平面部のエッジから所定傾斜角度θ１で延長され形成される第１傾斜部を備える本体フレームと；前記第１平面部及び第１傾斜部に設置され、複数のＬＥＤランプを含んで構成される光発散部と；前記第１平面部と所定距離離隔して位置する第２平面部と、この第２平面部のエッジから所定傾斜角度θ２で延長され前記第１傾斜部と所定距離離隔して位置する第２傾斜部を含んで構成され、前記本体フレームを覆う透過板からなることを特徴とするＬＥＤ街灯装置を提供する。
【発明の効果】
【００１６】
上記した本発明の構成によれば、ＬＥＤランプの直下及び側面照度が均一に向上される効果を示す。また、ＬＥＤランプからの発熱を容易に発散させることができる効果を示す。また、街灯柱に対する設置作業が容易に行える効果を示す。また、雨水排水構造を備えることによって、ＬＥＤ街灯装置の耐久性の向上を図ることができる。また、光源からの放出光がレンズを備えた透過板を介して直下及び側面方向に放出されることによってＬＥＤ街灯装置の周辺照度が向上する効果を示す。
【図面の簡単な説明】
【００１７】
【図１】一般的なＬＥＤ街灯装置が街灯柱に設置された状態を概略的に示す図である。
【図２】一般的なＬＥＤ街灯装置が街灯柱に設置された状態を概略的に示す図である。
【図３】本発明による本体フレームを上部から斜めに見た斜視図である。
【図４】本発明による本体フレームを下部から斜めに見た斜視図である。
【図５】本発明による本体フレームの固定部に街灯柱との連結のための連結部材が取り付けられた状態を示す図である。
【図６】本発明による本体フレームを備えた一例の街灯装置が街灯柱に取り付けられた状態を示す図である。
【図７】本発明による透過板を上部から斜めに見た斜視図である。
【図８】本発明による透過板を下部から斜めに見た斜視図である。
【図９】本発明による透過板を上部から見た平面図である。
【図１０】本発明によるレンズが備えられた透過板を上部から見た平面図である。
【図１１】本発明の一実施形態によって透過板に備えられるレンズ構成を説明するための概略的な側面図である。
【図１２】本発明によるレンズを備えた他の例の透過板を概略的に示す斜視図である。
【図１３】本発明の一実施形態による透過板に備えられるレンズ構成を説明するための概略的な側面図である。
【図１４】本発明による光発散部が設置された状態を示すＬＥＤ街灯装置の斜視図である。
【図１５】本発明による光発散部が設置された状態を示すＬＥＤ街灯装置の側面図である。
【図１６】ＬＥＤランプ及びこのＬＥＤランプ上にレンズギャップが設置された光発散部が本体フレーム上に設置され、透過板上にはレンズが備えられていない状態を概略的に示す側面図である。
【発明を実施するための形態】
【００１８】
以下、添付図面を参照して本発明の実施形態について本発明の属する技術分野で通常の知識を有する者が容易に実施できるように詳細に説明する。しかし、本発明は様々な互いに異なる形態に具現されることができ、ここで説明する実施形態に限定されない。
【００１９】
[本体フレームの構造]
図３は、本発明によるＬＥＤ街灯装置の一構成要素である本体フレームを上部から斜めに見た斜視図で、図４は、下部から見た斜視図である。
【００２０】
図面に示すように、本発明による本体フレーム１０は、平坦面に形成された平面部１１と、この平面部１１から所定角度θ１を有して延長される傾斜部１２と、この傾斜部の端部に形成されるエッジ部１３（結合部）と、を含む。図面によれば、前記平面部１１とエッジ部１３は互いに平行の水平面に形成され、これらの間に傾斜部１２が所定傾斜を有して位置することによって、本発明による本体フレーム１０は中折れ帽の形状をなす。
【００２１】
ここで、前記平面部１１には、図４に示したように、内部表面の中央に、前記街灯柱の連結ロッド２１０との結合のための固定部１１ａが形成され、この固定部の周辺には内部表面と外部表面を連通する排水孔１１ｂが形成される。具体的には、前記固定部１１ａは平面部１１の中央部から垂直に延長された円筒状のパイプに形成され、この円筒状固定部１１ａの周囲の平面部１１の表面に複数の排水孔１１ｂが中心線Ｒを中心に円形に形成された状態が示される。一方、前記固定部１１ａの端部の内側又は外側にはねじ山が備えられ、以下で説明される連結部材を媒介として前記街灯柱に対する取り付けを行うことができるようになる。また、図３に示したように、外部表面においては、前記排水孔１１ｂが設置された固定部１１ａの周辺部１１ｃ（排水孔形成部）は、平面部１１上で環状をなして中央の固定部１１ａに対して段差を有し突出して形成されるが、この環状の周辺部１１ｃが以下で説明される透過板３０の固定のための結合部として機能する。
【００２２】
また、前記平面部１１はその平面形状の１２面に形成される。すなわち、平面部１１のエッジに１２個の辺が形成される。これにより、前記平面部１１から所定角度θ１を有して延長される傾斜部１２も１２面に形成される。一方、前記平面部１１の排水孔１１ｂが形成された周辺部１１ｃの外側部１１ｄはＬＥＤランプ（光発散部）を固定する環状（又はＯリング形状）の第１固定面１１ｄになる。一方、本発明による本体フレーム１０は平面部１１が地面を向き、好ましくは地面に対して平行するように位置することによって、前記平面部１１の第１固定面１１ｄに取り付けられるＬＥＤランプは直下方向に向けて光を照射するようになる。
【００２３】
また、前記傾斜部１２は前記平面部１１の１２面のエッジから前記所定角度θ１を有して上部に延長されることによって、その表面は１２面に形成される。すなわち、傾斜部１２は、平面部１１側端部から前記エッジ部１３側に延長されることによって、その内径が拡大され、各面は側面から見て、台形を有するようになる。この台形の平面は前記ＬＥＤランプが取り付けられる第２固定面１２ｄになる。一方、本発明による本体フレーム１０の傾斜部は、地面に対して斜めに傾斜した状態で位置することによって、前記傾斜部１２に取り付けられるＬＥＤランプは直下方向に対する周辺部を照射するようになる。
【００２４】
また、前記エッジ部１３は前記平面部１１と同じ水平面に形成され、表面に複数の結合孔１３ｆが形成されることによって、以下で説明される透過板３０を本体フレーム１０に固定できるようになる。
【００２５】
一方、上記した、平面部１１と、傾斜部１２及びエッジ部１３の形成によって、図４に明確に示したように、本体フレームには平面部及びエッジ部の内部表面で囲まれる空間部Ｓが形成される。このような空間部Ｓは本体フレームの内部表面と外気との接触を向上させるための構造であり、ＬＥＤランプが発熱する時、熱発散を容易にするために設計される。
【００２６】
また、前記平面部１１と傾斜部１２の内部表面には各面毎に、表面が突出し、例えば複数の防熱壁構造１５を形成するようになる。このような防熱壁構造は空間部Ｓに接する本体フレームの表面積を広げるための構造であり、外気との接触面積を拡大させることによって、放熱効果を最大化させるための構造である。
【００２７】
一方、図３にはその形状が明確に示されていないが、前記防熱壁構造１５が形成された傾斜部１２の外部表面も、陥没された形態に形成されることができ、このように形成された陥没部にＬＥＤランプを取り付けることができる。
【００２８】
図面においては、前記防熱壁構造１５が前記傾斜部１２の長さ方向に沿って直線状に延長された形態に示されているが、これに限定されず、様々な形態、例えば前記長さ方向に直交する方向に延長されて形成されることもできる。これにより、平面部に平行して延長される複数の防熱壁が前記傾斜部の内部表面に形成され得る。
【００２９】
一方、図３及び図４においては、前記平面部のエッジ及び傾斜部に形成される面が１２面に形成されているが、これに限定されず、例えば３、４、６、８、１０面等に形成できる。また、曲面形状に形成されることもできる。これにより、前記平面部１２のエッジ形状も変更され得ることは自明である。
【００３０】
一方、好ましい実施例として傾斜部を１２面に形成した理由は、多面の傾斜部に選択的に光源（ＬＥＤランプ）を取り付けるためである。すなわち、様々な設置場所に応じて、照度及び照明方向を選択する必要があるので、前記多面の傾斜部に選択的にＬＥＤランプを取り付けるためである。
【００３１】
ここで、前記本体フレーム１０は中央の基準線Ｒを中心に回転軸対称形状に形成され得る。
図３において符号１１ｆ、１２ｆは前記本体フレーム１０に取り付けられるＬＥＤランプを固定するための締結手段、例えばねじ挿入のための孔である。
【００３２】
図５は、本発明による本体フレームの固定部１１ａに街灯柱との連結のための連結部材１６が取り付けられた状態を示す図で、図６は、本発明による本体フレーム１０を備えた一例の街灯装置が街灯柱に取り付けられた状態を示す図である。
【００３３】
図５に示したように、本発明による連結部材１６は前記円筒状固定部１１ａの端部に取り付けられることによって、その直径が円筒状固定部と同一に形成される第１直径部１６ａと、前記街灯柱に取り付けられ、その直径が前記第１直径部１６ａに比べて拡大された第２直径部１６ｂを備える。
【００３４】
図６を参照して説明すると、一般的な街灯柱では、前記連結ロッド２１０に前記連結部材１６の第２直径部に対応する直径を有する拡大直径部２１０ａが形成されるとともに、この拡大直径部と一体として日除け部材２３０（又はカバー部材）が備えられる。一方、前記連結ロッド２１０には拡大直径部２１０ａが省略されることができ、この場合、前記日除け部材２３０は前記拡大直径部２１０ａから独立した（分離された）個別部品として提供され得る。
【００３５】
これにより、本発明によるＬＥＤ街灯装置は、前記本体フレームと、光発散部、透過板及び日除け部材を含んで構成されることができる。一方、このようなＬＥＤ街灯装置と前記連結ロッド２１０の結合関係は様々な方法で容易に実施できる事項であるので、その説明は省略する。
【００３６】
前記図６に示す形態の街灯柱に対して、ＬＥＤ街灯の本体フレームを取り付けるためには前記連結部材１６の第１直径部１６ａが前記固定部１１ａに挿入され、前記第２直径部１６ｂが前記連結ロッド２１０の拡大直径部２１０ａに挿入される。これにより、前記本体フレーム１０の空間部Ｓが日除け部材によって覆われた状態で、前記本体フレーム１０が街灯柱に取り付けられる。前記日除け部材は省略され得る。本考案による本体フレームにおいては、空間部に排水孔１１ｂが形成されるため、前記日除け部材２３０が省略されても、中空部に累積される湿気を排水孔を介して外部に排出することによって、湿気が空間部に累積されることによる街灯装置の劣化を防止できるようになる。
【００３７】
図６において、符号３０は以下で説明される透過板であり、前記本体フレーム１０のエッジ部１３にそのエッジ部が締結手段で結合されることによって、前記本体フレーム上に位置するようになる。
【００３８】
[透過板の構造]
図７は、本発明による透過板３０を上部から斜めに見た斜視図で、図８は、下部から見た斜視図である。本発明による透過板は前記本体フレーム１０に挟まれ、その外形が本体フレームとほぼ同じ形状に形成される。
【００３９】
図面に示すように、本発明による透過板３０は、平面部３１と、この平面部３１から所定傾斜θ２を有して延長される傾斜部３２と、この傾斜部の端部に形成されるエッジ部３３（結合部）を含む。また、前記平面部３１とエッジ部３３は互いに平行の水平面に形成され、これらの間に傾斜部３２が所定傾斜を有して位置することによって、本発明による透過板３０は庇を有する中折帽の形状を有する。
【００４０】
このような透過板３０は前記本体フレーム１０に取り付けられることによって、前記平面部３１と傾斜部３２及びエッジ部３３がそれぞれ本体フレーム１０の平面部１１と傾斜部１２及びエッジ部１３上に位置する。すなわち、透過板３０の内部表面と本体フレームの外部表面が互いに対向する。
【００４１】
ここで、前記平面部３１は中央が円形に開口され、この中央開口部３１ａの周囲に前記環状の周辺部１１ｃとの結合のための対応形状を有する環状の結合締結部３１ｃが平面部３１の内側面に備えられる（図８参照）。この結合締結部３１ｃ上には前記本体フレームの排水孔１１ｂに対応する位置に連結孔３１ｂが形成される。これにより、前記排水孔１１ｂに排水される雨水などの水分は前記連結孔３１ｂを介して外部に排出される。また、前記結合締結部３１ｃの外部表面は周辺部に対して所定深さに陥没されるように形成され（図７参照）、この円形の陥没部３１ｅに図６に示したように円形の遮蔽板３５が挟まれる。これにより、前記排水孔１１ｂ及び連結孔３１ｂが外部から見えないようにする。
【００４２】
一方、陥没部３１ｅに対する遮蔽板３５の締結構造をより明確に説明すると、前記遮蔽板３５は円形の底板３５ａと、この底板の表面から上部に垂直に延長される内部が中空である円筒状の突出ピン３５ｂと、で構成され、前記底板３５ａのエッジ部が前記陥没部３１ｅの側壁に挟まれるとともに、前記突出ピン３５ｂが前記結合締結部の自由端部に挟まれるようになる。
【００４３】
また、前記平面部３１は本体フレームの平面部１１と同様に、その平面形状が多角形状、すなわち、１２面の多角形状に形成される。したがって、前記平面部３１から所定角度θ２を有して延長される傾斜部３２も１２面に形成される。一方、前記連結孔３１ｂが形成される透過板３０の陥没部３１ｅの周辺部は前記本体フレームの第１固定面１１ｄ上部に位置する第１透過面３１ｄになる。
【００４４】
これにより、前記第１固定面１１ｄにＬＥＤランプが取り付けられて点灯すると、その放射光は前記第１透過面３１ｄを通過して外部に発散するようになる。
【００４５】
また、前記傾斜部３２は前記平面部３１の１２面のエッジから所定角度をなして上部に延長されることによって、その表面は１２面を形成するようになる。すなわち、傾斜部３２は、平面部３１側の端部から前記エッジ部３３側に延長されることによって、その内径が拡大され、各側面は側面から見て前記本体フレームの平面部のような台形形態を持つようになる。この側面は前記ＬＥＤランプが取り付けられる第２固定面１２ｄの上部に位置する第２透過面３２ｄになる。
【００４６】
これにより、前記第２固定面１２ｄにＬＥＤランプが取り付けられて点灯すると、その放射光は前記第２透過面３２ｄを介して外部に放出される。
一方、前記透過板３０の平面部３１のエッジ面（辺）及び傾斜部３２に形成される面は前記本体フレームの形状に応じて、例えば、３、４、６、８、１０面等に形成できる。
【００４７】
また、前記透過板も前記本体フレーム１０と同様に、中央の基準線Ｒを中心に回転軸対称形状に形成される。
図９は、本発明による透過板３０を上部から見た平面図で、前記１２面のエッジ面（辺）を有する平面部３１と、台形形状の１２面に形成された傾斜部３２及び傾斜部の他側端部に延長形成された環状のエッジ部３３とともに、前記平面部３１の中央開口部３１ａが遮蔽板３５で閉鎖された状態が示される。
【００４８】
図１０は、本発明によるレンズを備えた透過板３０を上部から見た平面図で、前記１２面のエッジ面を有する平面部３１と、１２面に形成された傾斜部３２及びエッジ部３３が示される一方、前記平面部３１の中央開口部３１ａが遮蔽板３５で閉鎖された状態が示される。また、前記平面部３１の環状の第１透過面３１ｄに複数の第１レンズ３１ｄ１が開口部３１ａ又は遮蔽板３５を中心に円形に突出形成され、傾斜部３２の第２透過面３２ｄに傾斜部の長さ方向（平面部からエッジ部に向かう方向）に沿って直線状に複数の第２レンズ３２ｄ２が備えられた状態が図示される。
【００４９】
一方、前記第１及び第２レンズ３２ｄ２は透過板に選択的に備えられることができる。すなわち、第１及び第２レンズがすべて備えられるか、第１レンズのみが備えられるか、又は第２レンズのみが透過板に備えられることができる。図６においては、傾斜部３２の第２透過面３２ｄのみに第２レンズ３２ｄ２が備えられた透過板の断面が示されている。
【００５０】
また、図１０においては前記複数の第１レンズ３１ｄ１が円形に配置され、前記複数の第２レンズ３２ｄ２は直線状に配置されているが、その配列方法は様々に選択できる。
また、前記第１及び第２レンズ３２ｄ２は、図１１の（ａ）に示したように、以下で説明される光発散部２０のＬＥＤランプ２４から光が入射する面（内部表面）は平面に形成され、光が放出される面（外部表面）は所定曲率及び所定直径ｒ１の凸形状に突出された形状を有する。
【００５１】
一方、本発明者による実験によれば、前記ＬＥＤランプ２４の光発散角度θ３が１１５゜で、前記距離ｄ１’又はｄ２’が７ｍｍ、前記直径ｒ１が１３ｍｍに選択されることによって、前記所定距離で測定した放射光の照度が最大で測定された。
【００５２】
したがって、前記本体フレームに透過板が取り付けられる時、前記本体フレームと透過板の距離ｄ１又はｄ２は、前記距離ｄ１’又はｄ２’が７ｍｍである点と、前記基板の厚さを考慮して、設定することが好ましい。
【００５３】
また、図１１の（ｂ）に示したように、前記レンズ３１ｄ１、３２ｄ２は光発散部２０のＬＥＤランプ２４からの光が入射する面（内部表面）は所定曲率及び所定直径の凹形状に陥没され、光が放出される面（外部表面）は平面に形成され得る。
【００５４】
また、図１１の（ｃ）に示したように、前記レンズ３１ｄ１、３２ｄ２は、光発散部２０のＬＥＤランプ２４から光が入射する面（内部表面）は平面に形成され、光が放出される面（外部表面）は所定曲率及び所定直径の凸形状に突出形状されるとともに、周辺の平面部（外部表面）に対して所定深さ陥没されて形成され得る。
【００５５】
一方、前記図１１の（ａ）乃至（ｃ）の構造を採用することによって、前記ＬＥＤランプ２４から放出される光は、透過板の周辺部との干渉を最小化し、レンズを通過して外部に放出できる。
【００５６】
図１２は、本発明の他の例によるレンズ３１ｄ１’が透過板３０の平面部３１、すなわち前記第１透過面３１ｄに環状に取り付けられた状態が示される。一方、図１２に示す透過板３０においては、第２透過面３２ｄにレンズが備えられていない場合が示されているが、この第２透過面３１ｄにも必要に応じてレンズ３２ｄ２’が前記図９に示したように直線状に備えられることができる。
【００５７】
また、前記図１２に示すレンズは、図１３にその断面形状が明確に示すように、湾曲突出部３ａと、この湾曲突出部３ａを同心円状に囲む複数の環状突出部３ｂを備えて構成される。
【００５８】
一方、図１３の（ａ）に示したように、前記第１透過面３１ｄ又は第２透過板３２ｄに備えられるレンズ３１ｄ１’、３２ｄ２’は、中央の半円状の湾曲突出部３ａと、この湾曲突出部３ａを同心円状に囲む複数の環状突出部３ｂが形成される外部表面と、平面である内部表面と、からなる。
【００５９】
ここで、前記半円状の湾曲突出部３ａは所定の曲率半径に湾曲され、前記外部表面でその側面形状が略半円状をなし、前記環状突出部３ｂは前記湾曲突出部３ａのエッジから直線状に上部に延長する垂直面３ｂ１と、この垂直面から外部表面に向かって所定曲率で湾曲された湾曲面３ｂ２と、で構成されることによって、前記外部表面でその断面形状が略１／４円弧形状を持つようになる。一方、図面において、前記垂直面３ｂ１は透過板の表面に対して垂直線で示されているが、所定の傾斜角度を有しながら形成されることもできる。
【００６０】
また、図１３の（ｂ）に示したように、前記レンズ３１ｄ１’、３２ｄ２’は、平面である外部表面と、中央の半円状の湾曲突出部３ａと、この湾曲陥没部３ａを同心円状に囲む複数の環状突出部３ｂが内部表面に陥没形成されることによって、構成されることができる。
【００６１】
また、図１３の（ｃ）に示したように、前記レンズ３１ｄ１’、３２ｄ２’は、光発散部２０のＬＥＤランプ２４からの光が入射する面（内部表面）は平面に形成され、光が放出される面（外部表面）は中央の半円状の湾曲突出部３ａと、この湾曲突出部３ａを同心円状に囲む複数の環状突出部３ｂと、が形成されるとともに、周辺の平面部（外部表面）に対して所定深さ陥没された形態に形成され得る。
【００６２】
一方、前記図１３の（ａ）乃至（ｃ）の構造を採用することによって、前記ＬＥＤランプ２４から放出される光は、透過板の周辺部との干渉を最小化し、レンズを通過して外部に放出され得る。
【００６３】
図１４は、本発明による透過板３０を上部から見た平面図で、前記１２面形状のエッジ面を有する平面部３１と、台形形状の１２面に形成された傾斜部３２及び、エッジ部３３が示される一方、前記平面部３１の中央開口部３１ａが遮蔽板３５で閉鎖された状態が示される。
【００６４】
[本体フレームと透過板の結合構造]
前記本体フレーム１０と透過板３０の結合関係を図６を参照して説明する。本体フレームと透過板の結合は、透過板３０のエッジ部３３を本体フレームのエッジ部１３側に押し付ける加圧部４１と、前記結合孔１３ｆと連通される挿入孔４２が形成された固定ブラケット４０によって行われる。一方、このような固定ブラケット４０は前記エッジ部１３、３３の形状に沿って環状に形成される。
【００６５】
具体的には、図６に示したように、透過板３０の結合締結部３１ｃを本体フレームの周辺部１１ｃに嵌め込んだ状態で、前記固定ブラケット４０の加圧部４１を前記透過板３０のエッジ部３３に位置させ、前記結合孔１３ｆ及び挿入孔４２にねじを挿入することによって、前記透過板３０のエッジ部と前記本体フレームのエッジ部１３を圧搾結合させる。
【００６６】
一方、前記透過板のエッジ部３３には、例えばゴム材質の密封部材３６を嵌め込むことによって、透過板の内部表面と本体フレームが外部表面がなす、以下で説明される光発散部設置空間Ｓｄに湿気が流入されないようにする。
【００６７】
[光発散部構造]
以下、図１４は、本発明による光発散部が設置された状態を示すＬＥＤ街灯装置の斜視図で、図１５は、その側面図である。図１４及び図１５においては、本発明による光発散部２０が前記本体フレームの第１固定面１１ｄ及び第２固定面１２ｄに取り付けられ、透過板３０が前記固定ブラケット４０によって光発散部２０が設置された本体フレームに取り付けられ、前記光発散部２０を覆っている状態が概略的に示される。また、環状の固定ブラケット４０の形態が明確に示される。
【００６８】
本発明による光発散部２０は前記本体フレームの第１固定面１１ｄに設置される第１光発散部２１と、前記第２固定面１２ｄに設置される第２光発散部２２と、からなる。
【００６９】
ここで、前記第１及び第２光発散部２１、２２は複数のＬＥＤランプ２４を設置することができるＰＣＢ基板である基板２３ａと、この基板２３ａ上に設置される複数のＬＥＤランプ２４を含むことができる。一方、前記第１光発散部２１は本体フレームの環状の第１固定面１１ｄに設置されることによって、その基板２３ａが環状を有する。また、前記第２光発散部２２は本体フレームの略四角形の第２固定面１２ｄに設置されることによって、その基板２３ｂが概略長方形状を有する。
【００７０】
すなわち、前記第１光発散部２１は環状の基板２３ａと、この基板上に円形に設置される複数のＬＥＤランプ２４と、で構成され、前記第２光発散部２２は略長方形状の基板２３ｂと、この基板上で前記傾斜部１２の長さ方向に沿って直線状に形成されるＬＥＤランプ２４と、で構成される。
【００７１】
一方、前記ＬＥＤランプ２４にはランプから発散された光を広い範囲に拡大させるために、キャップ（ｃａｐ）状のレンズギャップ２５が取り付けられる（嵌め込まれる）ことができる。図面において、前記レンズギャップ２５は内部が中空である略六角形に作製され、中空部を媒介として、前記レンズに取り付けられ、前記ＬＥＤランプと対面する上部平面に所定曲率のレンズが形成される。
【００７２】
一方、図１４にはレンズギャップが部分的にＬＥＤランプに取り付けられた状態を示し、図１５は、レンズギャップが取り付けられていない状態を示しているが、ＬＥＤランプ２４に対するレンズギャップの取り付けの有無は、前記透過板３０にレンズ３１ｄ１、３２ｄ２：３１ｄ１’、３２ｄ２’を取り付けるか否かに応じて様々に選択できる事項である。
【００７３】
一方、符号２６は前記第１光発散部と第２光発散部の基板を連結する連結配線であり、符号２７は連結コネクタである。このような配線を介して前記第２光発散部のＬＥＤランプ２４に電源が供給される。一方、図示を省略した配線が前記第１光発散部２１の後面から前記本体フレームの固定部１１ａを介して、前記街灯柱に連結され、図示を省略した電源と第１光発散部の基板を連結できる。
【００７４】
一方、図１６はＬＥＤランプ及びこのＬＥＤランプ２４上にレンズギャップ２５が設置された光発散部２０が本体フレーム１０上に設置され、透過板上にはレンズが備えられていない状態を概略的に示す側面図である。
【００７５】
ここで、前記レンズギャップ２５は前記光発散角度θ３を考慮して設計される傾斜した反射板２５ａとＬＥＤランプ２４上部に位置するレンズ２５ｂとを備えて構成される。このようなレンズギャップ２５が光発散部２０に取り付けられることによって、透過板３０にはレンズが備えられる必要がなくなる。
【００７６】
一方、前記レンズギャップ２５に形成されたレンズ２５ｂは、前記図１１の（ａ）による形態を取っているが、図１１の（ａ）乃至（ｃ）及び図１３の（ａ）乃至（ｃ）の形状のうちいずれか１つを採用できることは自明である。
【図１】
2013525990.tif 000003
【図２】
2013525990.tif 000004
【図３】
2013525990.tif 000005
【図４】
2013525990.tif 000006
【図５】
2013525990.tif 000007
【図６】
2013525990.tif 000008
【図７】
2013525990.tif 000009
【図８】
2013525990.tif 000010
【図９】
2013525990.tif 000011
【図１０】
2013525990.tif 000012
【図１１】
2013525990.tif 000013
【図１２】
2013525990.tif 000014
【図１３】
2013525990.tif 000015
【図１４】
2013525990.tif 000016
【図１５】
2013525990.tif 000017
【図１６】
2013525990.tif 000018
【国際調査報告】
2013525990.tif 000019
2013525990.tif 000020
2013525990.tif 000021
2013525990.tif 000022